(57)【特許請求の範囲】
【請求項１】
多重アンテナシステムにおいて無線リソースを使用することにより参照信号を送信する方法であって、
前記方法は、
第１の時間区間において第１のシーケンスを使用して第１のアンテナのための第１の参照信号を送信することと、
前記第１の時間区間において第２のシーケンスを使用して第２のアンテナのための第２の参照信号を送信することと
を含み、
前記第１のアンテナのための第３の参照信号が、第３のシーケンスを使用して第２の時間区間においてさらに送信され、前記第２の時間区間は、前記第１の時間区間に隣接し、前記第１のシーケンスは、前記第３のシーケンスとは異なり、
前記無線リソースは、第１のタイプのリソース要素（ＲＥ）及び第２のタイプのＲＥを含み、前記第１のタイプのＲＥの各々は、前記第１の参照信号及び前記第２の参照信号を送信し、前記第２のタイプのＲＥは、前記第１の参照信号及び前記第２の参照信号を送信せず、
前記第１のシーケンスは、前記第１の時間区間において第１の部分及び第２の部分を含み、前記第１の部分は、第１の位相シフト値がかけられ、前記第２の部分は、第２の位相シフト値がかけられ、前記第１の位相シフト値と前記第２の位相シフト値との間に位相オフセットが存在し、
前記第３のシーケンスは、前記第２の時間区間において第３の部分及び第４の部分を含み、前記第３の部分は、前記第１の位相シフト値がかけられ、前記第４の部分は、前記第２の位相シフト値がかけられ、
前記第１の参照信号の第１の部分及び前記第１の参照信号の第２の部分は、同一時間区間を介して送信され、前記第１の参照信号を送信するＲＥは、前記第２の参照信号を送信ＲＥと同一である、方法。
【請求項２】
前記第１の参照信号及び第２の参照信号は、少なくとも一つの直交周波数分割多重（ＯＦＤＭ）シンボルを介して送信される、請求項１に記載の方法。
【請求項３】
前記位相オフセットは、前記第１の参照信号の第１の部分が割り当てられるＲＥに基づいて決定される、請求項１に記載の方法。
【請求項４】
前記第１のシーケンスを送信するＲＥは、前記第３のシーケンスを送信するＲＥと同一周波数帯域を有する、請求項１に記載の方法。
【請求項５】
前記第１の参照信号及び第２の参照信号は、データ復旧のために使われる、請求項１に記載の方法。
【請求項６】
前記方法は、基地局により実行される、請求項１に記載の方法。
【請求項７】
無線リソースを使用することにより参照信号を受信する方法であって、
前記方法は、ユーザ機器により実行され、
前記方法は、
第１の時間区間において第１のシーケンスを使用して送信機の第１のアンテナによって送信される第１の参照信号を受信することと、
前記第１の時間区間において第２のシーケンスを使用して前記送信機の第２のアンテナによって送信される第２の参照信号を受信することと
を含み、
前記第１のアンテナによって送信される第３の参照信号が、第３のシーケンスを使用して第２の時間区間においてさらに受信され、前記第２の時間区間は、前記第１の時間区間に隣接し、前記第１のシーケンスは、前記第３のシーケンスとは異なり、
前記無線リソースは、第１のタイプのリソース要素（ＲＥ）及び第２のタイプのＲＥを含み、前記第１のタイプのＲＥの各々は、前記第１の参照信号及び前記第２の参照信号を送信し、前記第２のタイプのＲＥは、前記第１の参照信号及び前記第２の参照信号を送信せず、
前記第１のシーケンスは、前記第１の時間区間において第１の部分及び第２の部分を含み、前記第１の部分は、第１の位相シフト値がかけられ、前記第２の部分は、第２の位相シフト値がかけられ、前記第１の位相シフト値と前記第２の位相シフト値との間に位相オフセットが存在し、
前記第３のシーケンスは、前記第２の時間区間において第３の部分及び第４の部分を含み、前記第３の部分は、前記第１の位相シフト値がかけられ、前記第４の部分は、前記第２の位相シフト値がかけられ、
前記第１の参照信号の第１の部分及び前記第１の参照信号の第２の部分は、同一時間区間を介して送信され、前記第１の参照信号を送信するＲＥは、前記第２の参照信号を送信するＲＥと同一である、方法。
【発明の詳細な説明】
【技術分野】
【０００１】
本発明は、無線通信に関し、より詳しくは、多重アンテナシステムにおける参照信号の送信方法に関する。
【背景技術】
【０００２】
最近、活発に研究されている次世代マルチメディア無線通信システムは、初期の音声中心のサービスを超えて映像、無線データなどの多様な情報を処理して送信することができるシステムが要求されている。現在、３世帯無線通信システム以後に開発されている４世帯無線通信は、ダウンリンク１Ｇｂｐｓ（Ｇｉｇａｂｉｔｓ  ｐｅｒ  ｓｅｃｏｎｄ）及びアップリンク５００Ｍｂｐｓ（Ｍｅｇａｂｉｔｓ  ｐｅｒ  ｓｅｃｏｎｄ）の高速のデータサービスをサポートすることを目標とする。無線通信システムの目的は、複数のユーザが位置と移動性に関係なしに信頼できる（ｒｅｌｉａｂｌｅ）通信が可能であるようにすることである。しかし、無線チャネル（ｗｉｒｅｌｅｓｓ  ｃｈａｎｎｅｌ）は、パスロス（ｐａｔｈ  ｌｏｓｓ）、雑音（ｎｏｉｓｅ）、マルチパス（ｍｕｌｔｉｐａｔｈ）によるフェーディング（ｆａｄｉｎｇ）現像、シンボル間干渉（Ｉｎｔｅｒｓｙｍｂｏｌ  Ｉｎｔｅｒｆｅｒｅｎｃｅ；ＩＳＩ）または端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために多様な技術が開発されている。
【０００３】
信頼することができる高速のデータサービスをサポートするための技術として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＭＩＭＯ（Ｍｕｌｔｉｐｌｅ  Ｉｎｐｕｔ  Ｍｕｌｔｉｐｌｅ  Ｏｕｔｐｕｔ）などがある。
【０００４】
ＯＦＤＭは、低い複雑度でシンボル間干渉効果を減殺させることができる３世帯以後考慮されているシステムである。ＯＦＤＭは、直列に入力されるデータシンボルをＮ（Ｎは、自然数）個の並列データシンボルに変換し、各々分離されたＮ個の副搬送波（ｓｕｂｃａｒｒｉｅｒ）に載せて送信する。副搬送波は、周波数次元で直交性を維持するようにする。移動通信市場は、既存ＣＤＭＡ（Ｃｏｄｅ  Ｄｉｖｉｓｉｏｎ  Ｍｕｌｔｉｐｌｅ  Ａｃｃｅｓｓ）システムからＯＦＤＭベースのシステムに規格が変更されることが予想される。
【０００５】
ＭＩＭＯ技術は、多重送信アンテナ及び多重受信アンテナを使用してデータの送受信効率を向上させる。ＭＩＭＯ技術には空間多重化（ｓｐａｔｉａｌ  ｍｕｌｔｉｐｌｅｘｉｎｇ）、送信ダイバーシティ（ｔｒａｎｓｍｉｔ  ｄｉｖｅｒｓｉｔｙ）、ビームフォーミング（ｂｅａｍｆｏｒｍｉｎｇ）などがある。受信アンテナ数及び送信アンテナ数によるＭＩＭＯチャネル行列は、複数の独立チャネルに分解されることができる。各々の独立チャネルは、レイヤー（ｌａｙｅｒ）またはストリーム（ｓｔｒｅａｍ）と呼ばれる。レイヤーの個数はランク（ｒａｎｋ）と呼ばれる。
【０００６】
無線通信システムでは、データの送／受信、システム同期獲得、及びチャネル情報フィードバックなどのためにアップリンクチャネルまたはダウンリンクチャネルを推定する必要がある。チャネル推定は、フェーディングによる急激な環境変化に応じて生じる信号の歪曲を補償して送信信号を復元する過程を意味する。一般的に、チャネル推定のためには、送信機と受信機の両方が分かっている参照信号（ｒｅｆｅｒｅｎｃｅ  ｓｉｇｎａｌ）が必要である。
【０００７】
ＯＦＤＭシステムで、参照信号は、全ての副搬送波に割り当てられる方式及びデータ副搬送波間に割り当てられる方式がある。参照信号を全ての副搬送波に割り当てる方式は、プリアンブル（ｐｒｅａｍｂｌｅ）信号のように参照信号のみからなる信号が使われる。この方式は、参照信号がデータ副搬送波間に割り当てられる方式に比べてチャネル推定性能利得が高いが、データの送信量が減少される。従って、データの送信量を増加させるために、参照信号をデータ副搬送波間に割り当てる方式が使われることができる。参照信号をデータ副搬送波間に割り当てる方式は、参照信号の密度が減少するため、チャネル推定性能の劣化が発生することができる。従って、これを最小化することができる適切な参照信号配置が要求される。
【０００８】
送信機が送信する参照信号をｐ、受信機が受信する受信信号をｙといい、次の数式のように示すことができる。
【０００９】
【数１】
0005496197.tif 000002
【００１０】
ここで、ｈは、参照信号が送信されるチャネル情報であり、ｎは、受信機で発生する熱雑音である。
【００１１】
この時、受信機は、参照信号ｐが分かっている。受信機は、参照信号ｐを用いてチャネルを推定することができる。推定されたチャネル推定値（ｈ′）を次の数式のように示すことができる。
【００１２】
【数２】
0005496197.tif 000003
【００１３】
チャネル推定値（ｈ′）は、ｎ′に応じて正確度が決定される。チャネル推定値（ｈ′）の正確な推定のためにｎ′は０に収束されなければならない。複数の参照信号を用いてチャネルを推定すると、ｎ′の影響を最小化することができる。受信機は、チャネル推定値を補償して送信機で送信されたデータを復元することができる。
【００１４】
多重アンテナシステムでは各アンテナ毎に異なるチャネルに対応されるため、各アンテナを考慮して参照信号構造を設計しなければならない。また、多重アンテナシステムでは各アンテナ別送信電力をできるだけ同一に送信する均等電力送信が効率的である。多重アンテナの均等電力送信は、具現費用を減少させ、システム性能を向上させることができる。
【００１５】
しかし、多重アンテナシステムで均等電力送信が可能であるように参照信号構造を設計すると、参照信号オーバーヘッド（ｏｖｅｒｈｅａｄ）が大きく増加する場合がある。参照信号オーバーヘッドは、全体副搬送波の数に対する参照信号を送信する副搬送波の数の比で定義することができる。参照信号オーバーヘッドが大きい場合、実際データを送信するデータ副搬送波を減少させる問題がある。これはデータ処理量を減少させ、スペクトラム効率を低下させ、結果的に、全体システムの性能を低下させる。
【００１６】
従って、多重アンテナシステムにおける効率的な参照信号の送信方法を提供する必要がある。
【発明の概要】
【発明が解決しようとする課題】
【００１７】
本発明が解決しようとする技術的課題は、多重アンテナシステムにおける参照信号の送信方法を提供することである。
【課題を解決するための手段】
【００１８】
一態様によると、多重アンテナシステムにおける参照信号の送信方法を提供する。前記方法は、第１のアンテナグループを介して第１のシーケンスに基づく第１の参照信号を送信する段階；及び第２のアンテナグループを介して第２のシーケンスに基づく第２の参照信号を送信する段階；を含み、前記第１の参照信号及び前記第２の参照信号は、同一な無線リソースを介して送信されることを特徴とする。
【００１９】
好ましく、前記無線リソースは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び副搬送波を含む。
【００２０】
好ましく、前記第２のシーケンスは、前記第１のシーケンスが時間領域で循環シフトによって得られる。
【００２１】
好ましく、前記第２のシーケンスは、周波数領域で前記第１のシーケンスに位相シフトをかけて得られる。
【００２２】
好ましい、前記第２のシーケンスは、前記第１のシーケンスに直交する。
【００２３】
他の態様によると、Ｍ（Ｍ≧２、Ｍは、自然数）個のアンテナを使用する多重アンテナシステムにおける参照信号の送信方法を提供する。前記方法は、第１のアンテナグループを介して第１のシーケンスに基づく第１の参照信号を送信する段階；及び第２のアンテナグループを介して第２のシーケンスに基づく第２の参照信号を送信する段階；を含み、前記Ｍ個のアンテナは、総２個のアンテナグループにペアリングされ、前記第１のアンテナグループは、前記ペアリングされた２個のアンテナグループのうち一つのアンテナグループであり、前記第２のアンテナグループは前記ペアリングされた２個のアンテナグループのうち他の一つのアンテナグループであり、前記第１の参照信号及び前記第２の参照信号は、同一な無線リソースを介して送信される。
【００２４】
好ましく、前記Ｍ個のアンテナ毎に、各々、リソースブロックが定義され、前記リソースブロックは、複数のＯＦＤＭシンボル及び複数の副搬送波で構成され、前記リソースブロックの各要素は、リソース要素であり、前記無線リソースは、前記リソースブロック上の特定位置のリソース要素である。
【００２５】
好ましく、前記Ｍ個のアンテナ毎に、各々、前記リソースブロック内の一つのＯＦＤＭシンボルをで同一個数の無線リソースを介して参照信号を送信する。
【００２６】
他の態様によると、送信機が提供される。該当送信機は、第１のアンテナグループ；第２のアンテナグループ；及び前記第１のアンテナグループを介して第１のシーケンスを使用して送信される第１の参照信号を生成し、前記第２のアンテナグループを介して第２のシーケンスを使用して送信される第２の参照信号を生成する参照信号生成器；を含み、前記第１の参照信号及び前記第２の参照信号は、同一な無線リソースを介して送信される。
【００２７】
他の態様によると、受信機が提供される。該当受信機は、無線信号を送信及び受信するＲＦ部；及び前記ＲＦ部と連結され、第１のシーケンスに基づく第１の参照信号を受信し、第２のシーケンスに基づく第２の参照信号を受信するプロセッサ；を含み、前記第１の参照信号及び前記第２の参照信号は、同一な無線リソースを介して受信される。
【００２８】
好ましく、前記無線リソースは、ＯＦＤＭシンボル及び副搬送波からなる。
【００２９】
好ましく、前記第２のシーケンスは、前記第１のシーケンスが時間領域で循環シフトによって得られる。
【００３０】
好ましく、前記第１の参照信号は、第１の送信アンテナに対する参照信号であり、前記第２の参照信号は、第２の送信アンテナに対する参照信号であり、前記プロセッサは、前記第１の参照信号を用いて前記第１の送信アンテナとのチャネルを推定し、前記第２の参照信号を用いて前記第２の送信アンテナとのチャネルを推定する。
（項目１）
多重アンテナシステムにおける参照信号の送信方法において、
第１のアンテナグループを介して第１のシーケンスに基づく第１の参照信号を送信する段階；及び
第２のアンテナグループを介して第２のシーケンスに基づく第２の参照信号を送信する段階；を含み、
前記第１の参照信号及び前記第２の参照信号は、同一な無線リソースを介して送信されることを特徴とする参照信号の送信方法。
（項目２）
記無線リソースは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び副搬送波であることを特徴とする項目１に記載の参照信号の送信方法。
（項目３）
前記第２のシーケンスは、前記第１のシーケンスが時間領域で循環シフトによって得られることを特徴とする項目１に記載の参照信号の送信方法。
（項目４）
前記第２のシーケンスは、周波数領域で前記第１のシーケンスに位相シフトをかけて得られることを特徴とする項目１に記載の参照信号の送信方法。
（項目５）
前記第２のシーケンスは、前記第１のシーケンスに直交することを特徴とする項目１に記載の参照信号の送信方法。
（項目６）
Ｍ（Ｍ≧２、Ｍは、自然数）個のアンテナを使用する多重アンテナシステムにおける参照信号の送信方法において、
第１のアンテナグループを介して第１のシーケンスに基づく第１の参照信号を送信する段階；及び
第２のアンテナグループを介して第２のシーケンスに基づく第２の参照信号を送信する段階；を含み、
前記Ｍ個のアンテナは、総２個のアンテナグループにペアリングされ、前記第１のアンテナグループは、前記ペアリングされた２個のアンテナグループのうち一つのアンテナグループであり、前記第２のアンテナグループは、前記ペアリングされた２個のアンテナグループのうち他の一つのアンテナグループであり、
前記第１の参照信号及び前記第２の参照信号は、同一な無線リソースを介して送信されることを特徴とする参照信号の送信方法。
（項目７）
前記Ｍ個のアンテナ毎に、各々、リソースブロックが定義され、前記リソースブロックは、複数のＯＦＤＭシンボル及び複数の副搬送波で構成され、前記リソースブロックの各要素は、リソース要素であり、前記無線リソースは、前記リソースブロック上の特定位置のリソース要素であることを特徴とする項目６に記載の参照信号の送信方法。
（項目８）
前記Ｍ個のアンテナ毎に、各々、前記リソースブロック内の一つのＯＦＤＭシンボルで同一個数の無線リソースを介して参照信号を送信することを特徴とする項目７に記載の参照信号の送信方法。
（項目９）
第１のアンテナグループ；
第２のアンテナグループ；及び
前記第１のアンテナグループを介して第１のシーケンスを使用して送信される第１の参照信号を生成し、前記第２のアンテナグループを介して第２のシーケンスを使用して送信される第２の参照信号を生成する参照信号生成器；を含み、
前記第１の参照信号及び前記第２の参照信号は、同一な無線リソースを介して送信されることを特徴とする送信機。
（項目１０）
無線信号を送信及び受信するＲＦ部；及び
前記ＲＦ部と連結され、
第１のシーケンスに基づく第１の参照信号を受信し、
第２のシーケンスに基づく第２の参照信号を受信するプロセッサ；を含み、
前記第１の参照信号及び前記第２の参照信号は、同一な無線リソースを介して受信されることを特徴とする端末。
（項目１１）
前記無線リソースは、ＯＦＤＭシンボル及び副搬送波からなることを特徴とする項目１０に記載の端末。
（項目１２）
前記第２のシーケンスは、前記第１のシーケンスが時間領域で循環シフトによって得られることを特徴とする項目１０に記載の端末。
（項目１３）
前記第１の参照信号は、第１の送信アンテナに対する参照信号であり、前記第２の参照信号は、第２の送信アンテナに対する参照信号であり、
前記プロセッサは、前記第１の参照信号を用いて前記第１の送信アンテナとのチャネルを推定し、前記第２の参照信号を用いて前記第２の送信アンテナとのチャネルを推定することを特徴とする項目１０に記載の端末。
【発明の効果】
【００３１】
多重アンテナシステムにおける効率的な参照信号の送信方法を提供することができる。
【図面の簡単な説明】
【００３２】
【図１】無線通信システムを示すブロック図である。
【図２】ユーザ平面に対する無線プロトコル構造を示すブロック図である。
【図３】制御平面に対する無線プロトコル構造を示すブロック図である。
【図４】ダウンリンク論理チャネルとダウンリンク送信チャネルとの間のマッピングを示す。
【図５】ダウンリンク送信チャネルとダウンリンク物理チャネルとの間のマッピングを示す。
【図６】無線フレームの構造を示す。
【図７】一つのダウンリンクスロットに対するリソースグリッドを示す例示図である。
【図８】サブフレームの構造を示す。
【図９】基地局が一つのアンテナを使用する場合、参照信号構造の例を示す。
【図１０】基地局が一つのアンテナを使用する場合、周波数領域でシフトされた参照信号構造の例を示す。
【図１１】基地局が２個のアンテナを使用する場合、参照信号構造の例を示す。
【図１２】基地局が４個のアンテナを使用する場合、参照信号構造の例を示す。
【図１３】ＯＦＤＭシンボルインデックスが０である場合、リソース要素当たり電力割当の例を示すグラフである。
【図１４】ＯＦＤＭシンボルインデックスが１である場合、リソース要素当たり電力割当の例を示すグラフである。
【図１５】多重アンテナシステムにおける参照信号の送信方法を示す流れ図である。
【図１６】参照信号構造の一例を示す。
【図１７】循環シフトされた参照信号構造の例を示す。
【図１８】ＣＤＭを使用した参照信号構造の第１の例を示す。
【図１９】ＣＤＭを使用した参照信号構造の第２の例を示す。
【図２０】ＣＤＭを使用した参照信号構造の第３の例を示す。
【図２１】ＣＤＭを使用した参照信号構造の第４の例を示す。
【図２２】ＣＤＭを使用した参照信号構造の第５の例を示す。
【図２３】多重アンテナを使用する送信機の例を示すブロック図である。
【図２４】端末の要素を示すブロック図である。
【発明を実施するための形態】
【００３３】
図１は、無線通信システムを示すブロック図である。これはＥ−ＵＭＴＳ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造である。Ｅ−ＵＭＴＳシステムは、ＬＴＥ（Ｌｏｎｇ  Ｔｅｒｍ  Ｅｖｏｌｕｔｉｏｎ）システムと呼ばれることもできる。無線通信システムは、音声、パケットデータなどのような多様な通信サービスを提供するために広く配置される。
【００３４】
図１を参照すると、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）は、制御平面（ｃｏｎｔｒｏｌ  ｐｌａｎｅ）及びユーザ平面（ｕｓｅｒ  ｐｌａｎｅ）を提供する基地局（Ｂａｓｅ  Ｓｔａｔｉｏｎ；ＢＳ）２０を含む。
【００３５】
端末（Ｕｓｅｒ  Ｅｑｕｉｐｍｅｎｔ；ＵＥ）１０は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）等、他の用語で呼ばれることができる。基地局２０は、一般的に端末１０と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局２０は、少なくとも一つのセルに対してサービスを提供することができる。セルは、基地局２０が通信サービスを提供する領域である。基地局２０間にはユーザトラフィック或いは制御トラフィック送信のためのインターフェースが使われることもできる。以下、ダウンリンク（ｄｏｗｎｌｉｎｋ）は、基地局２０から端末１０への通信を意味し、アップリンク（ｕｐｌｉｎｋ）は、端末１０から基地局２０への通信を意味する。
【００３６】
基地局２０は、Ｘ２インターフェースによって互いに連結されることができる。基地局２０は、Ｓ１インターフェースによってＥＰＣ（Ｅｖｏｌｖｅｄ  Ｐａｃｋｅｔ  Ｃｏｒｅ）、より詳しくは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ）３０と連結される。Ｓ１インターフェースは、基地局２０とＭＭＥ／Ｓ−ＧＷ３０との間に多対多関係（ｍａｎｙ−ｔｏ−ｍａｎｙ−ｒｅｌａｔｉｏｎ）をサポートする。
【００３７】
無線通信システムは、セルラー（ｃｅｌｌｕｌａｒ）システムであり、端末が属するセルに隣接する他のセルが存在する。端末が属するセルをサービングセル（Ｓｅｒｖｉｎｇ  Ｃｅｌｌ）といい、隣接する他のセルを隣接セル（Ｎｅｉｇｈｂｏｒ  Ｃｅｌｌ）という。
【００３８】
端末とネットワークとの間の無線インターフェースプロトコル（ｒａｄｉｏ  ｉｎｔｅｒｆａｃｅ  ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいて第１の階層（Ｌ１）、第２の階層（Ｌ２）、第３の階層（Ｌ３）に区分されることができる。第１の階層は、物理階層（ＰＨＹ（ｐｈｙｓｉｃａｌ）  ｌａｙｅｒ）である。第２の階層は、ＭＡＣ（Ｍｅｄｉｕｍ  Ａｃｃｅｓｓ  Ｃｏｎｔｒｏｌ）階層、ＲＬＣ（Ｒａｄｉｏ  Ｌｉｎｋ  Ｃｏｎｔｒｏｌ）階層、及びＰＤＣＰ（Ｐａｃｋｅｔ  Ｄａｔａ  Ｃｏｎｖｅｒｇｅｎｃｅ  Ｐｒｏｔｏｃｏｌ）階層に分離することができる。第３の階層は、ＲＲＣ（Ｒａｄｉｏ  Ｒｅｓｏｕｒｃｅ  Ｃｏｎｔｒｏｌ）階層である。
【００３９】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。これは端末とＥ−ＵＴＲＡＮとの間の無線インターフェースプロトコルの構造を示す。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００４０】
図２及び図３を参照すると、互いに異なる物理階層間、即ち、送信側及び受信側の物理階層間は物理チャネルを介してデータが移動する。物理階層は、上位にあるＭＡＣ階層と送信チャネル（ｔｒａｎｓｐｏｒｔ  ｃｈａｎｎｅｌ）を介して連結されている。送信チャネルを介してＭＡＣ階層と物理階層との間のデータが移動する。物理階層は、送信チャネルを用いてＭＡＣ階層及び上位階層に情報送信サービス（ｉｎｆｏｒｍａｔｉｏｎ  ｔｒａｎｓｆｅｒ  ｓｅｒｖｉｃｅ）を提供する。
【００４１】
ＭＡＣ階層は、論理チャネル（ｌｏｇｉｃａｌ  ｃｈａｎｎｅｌ）を介して上位階層であるＲＬＣ階層にサービスを提供する。ＲＬＣ階層は、信頼性のあるデータの送信をサポートする。ＰＤＣＰ階層は、ＩＰパケットヘッダサイズを減らすヘッダ圧縮（ｈｅａｄｅｒ  ｃｏｍｐｒｅｓｓｉｏｎ）機能を実行する。
【００４２】
ＲＲＣ階層は、制御平面でのみ定義される。ＲＲＣ階層は、端末とネットワークとの間に無線リソースを制御する役割を実行する。このために、ＲＲＣ階層は、端末とネットワークとの間にＲＲＣメッセージを互いに交換する。ＲＲＣ階層は、無線ベアラ（Ｒａｄｉｏ  Ｂｅａｒｅｒ、以下、ＲＢという）の設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連し、論理チャネル、送信チャネル、及び物理チャネルの制御を担当する。ＲＢは、端末とＥ−ＵＴＲＡＮとの間のデータ伝達のために第２の階層により提供されるサービスを意味する。端末のＲＲＣとネットワークのＲＲＣとの間にＲＲＣ連結（ＲＲＣ  Ｃｏｎｎｅｃｔｉｏｎ）がある場合、端末は、ＲＲＣ連結モード（ＲＲＣ  Ｃｏｎｎｅｃｔｅｄ  Ｍｏｄｅ）にあるようになり、そうでない場合、ＲＲＣアイドルモード（ＲＲＣ  Ｉｄｌｅ  Ｍｏｄｅ）にあるようになる。
【００４３】
ＲＲＣ階層上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）及び移動性管理（Ｍｏｂｉｌｉｔｙ  Ｍａｎａｇｅｍｅｎｔ）などの機能を実行する。
【００４４】
図４は、ダウンリンク論理チャネルとダウンリンク送信チャネルとの間のマッピング（ｍａｐｐｉｎｇ）を示す。これは３ＧＰＰ  ＴＳ３６．３００  Ｖ８．３．０（２００７−１２）Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  ８）の６．１．３．２節を参照することができる。
【００４５】
図４を参照すると、ＰＣＣＨ（Ｐａｇｉｎｇ  Ｃｏｎｔｒｏｌ  Ｃｈａｎｎｅｌ）は、ＰＣＨ（Ｐａｇｉｎｇ  Ｃｈａｎｎｅｌ）にマッピングされ、ＢＣＣＨ（Ｂｒｏａｄｃａｓｔ  Ｃｏｎｔｒｏｌ  Ｃｈａｎｎｅｌ）は、ＢＣＨ（Ｂｒｏａｄｃａｓｔ  Ｃｈａｎｎｅｌ）またはＤＬ−ＳＣＨ（Ｄｏｗｎｌｉｎｋ  Ｓｈａｒｅｄ  Ｃｈａｎｎｅｌ）にマッピングされる。ＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）は、ＤＬ−ＳＣＨにマッピングされる。ＭＣＣＨ及びＭＴＣＨは、ＭＣＨ（Ｍｕｌｔｉｃａｓｔ  Ｃｈａｎｎｅｌ）にもマッピングされる。
【００４６】
各論理チャネルタイプは、送信される情報の種類によって定義される。論理チャネルは、制御チャネル及びトラフィックチャネルの２種類がある。
【００４７】
制御チャネルは、制御平面情報の送信に使われる。ＢＣＣＨは、システム制御情報をブロードキャスティングするためのダウンリンクチャネルである。ＰＣＣＨは、ページング情報を送信するダウンリンクチャネルであり、ネットワークが端末の位置が分からない場合使用する。ＣＣＣＨは、端末とネットワークとの間の制御情報を送信するチャネルであり、端末とネットワークとがＲＲＣ連結されていない場合使用する。ＭＣＣＨは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）制御情報の送信に使われる一対多（ｐｏｉｎｔ−ｔｏ−ｍｕｌｔｉｐｏｉｎｔ）ダウンリンクチャネルであり、ＭＢＭＳを受信する端末に使われる。ＤＣＣＨは、端末とネットワークとの間の専用制御情報を送信する点対点双方向チャネルであり、ＲＲＣ連結を有する端末により使われる。
【００４８】
トラフィックチャネルは、ユーザ平面情報の送信に使われる。ＤＴＣＨは、ユーザ情報の送信のための点対点チャネルであり、アップリンクとダウンリンクの両方に存在する。ＭＴＣＨは、トラフィックデータの送信のための一対多ダウンリンクチャネルであり、ＭＢＭＳを受信する端末に使われる。
【００４９】
送信チャネルは、無線インターフェースによってデータがどんな方法により、どんな特徴に送信されるかによって分類される。ＢＣＨは、セル全領域でブロードキャストされ、固定された予め定義された送信フォーマットを有する。ＤＬ−ＳＣＨは、ＨＡＲＱ（Ｈｙｂｒｉｄ  Ａｕｔｏｍａｔｉｃ  Ｒｅｐｅａｔ  ｒｅＱｕｅｓｔ）のサポート、変調、コーディング、及び送信パワーの変化による動的リンク適応のサポート、ブロードキャストの可能性、ビームフォーミングの可能性、動的／半静的（ｓｅｍｉ−ｓｔａｔｉｃ）リソース割当サポート、端末のパワー節約のためのＤＲＸ（Ｄｉｓｃｏｎｔｉｎｕｏｕｓ  Ｒｅｃｅｐｔｉｏｎ）サポート、及びＭＢＭＳ送信サポートにより特徴される。ＰＣＨは、端末パワー節約のためのＤＲＸサポート、セル全領域へのブロードキャストにより特徴される。ＭＣＨは、セル全領域へのブロードキャスト及びＭＢＳＦＮ（ＭＢＭＳ  Ｓｉｎｇｌｅ  Ｆｒｅｑｕｅｎｃｙ  Ｎｅｔｗｏｒｋ）サポートにより特徴される。
【００５０】
図５は、ダウンリンク送信チャネルとダウンリンク物理チャネルとの間のマッピングを示す。これは３ＧＰＰ  ＴＳ３６．３００  Ｖ８．３．０（２００７−１２）の５．３．１節を参照することができる。
【００５１】
図５を参照すると、ＢＣＨは、ＰＢＣＨ（Ｐｈｙｓｉｃａｌ  Ｂｒｏａｄｃａｓｔ  Ｃｈａｎｎｅｌ）にマッピングされ、ＭＣＨは、ＰＭＣＨ（Ｐｈｙｓｉｃａｌ  Ｍｕｌｔｉｃａｓｔ  Ｃｈａｎｎｅｌ）にマッピングされ、ＰＣＨ及びＤＬ−ＳＣＨは、ＰＤＳＣＨ（Ｐｈｙｓｉｃａｌ  Ｄｏｗｎｌｉｎｋ  Ｓｈａｒｅｄ  Ｃｈａｎｎｅｌ）にマッピングされる。ＰＢＣＨは、ＢＣＨ送信ブロック（ｔｒａｎｓｐｏｒｔ  ｂｌｏｃｋ）を運び、ＰＭＣＨは、ＭＣＨを運び、ＰＤＳＣＨは、ＤＬ−ＳＣＨ及びＰＣＨを運ぶ。
【００５２】
物理階層で使われるさまざまなダウンリンク物理制御チャネルがある。ＰＤＣＣＨ（Ｐｈｙｓｉｃａｌ  Ｄｏｗｎｌｉｎｋ  Ｃｏｎｔｒｏｌ  Ｃｈａｎｎｅｌ）は、端末にＰＣＨ及びＤＬ−ＳＣＨのリソース割当、及びＤＬ−ＳＣＨと関連するＨＡＲＱ情報に対して知らせる。ＰＤＣＣＨは、端末にアップリンク送信のリソース割当を知らせるアップリンクスケジューリンググラントを運ぶことができる。ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）は、端末にサブフレーム内でＰＤＣＣＨの送信に使われるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの数を知らせる。ＰＣＦＩＣＨは、サブフレーム毎に送信される。ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）は、アップリンク送信の応答としてＨＡＲＱ  ＡＣＫ／ＮＡＫ信号を運ぶ。
【００５３】
図６は、無線フレームの構造を示す。
【００５４】
図６を参照すると、無線フレーム（Ｒａｄｉｏ  Ｆｒａｍｅ）は、１０個のサブフレーム（Ｓｕｂｆｒａｍｅ）で構成され、一つのサブフレームは、２個のスロット（Ｓｌｏｔ）で構成される。無線フレーム内のスロットは、０番から１９番までスロット番号が定められる。一つのサブフレームの送信にかかる時間をＴＴＩ（ｔｒａｎｓｍｉｓｓｉｏｎ  ｔｉｍｅ  ｉｎｔｅｒｖａｌ）と呼ぶ。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００５５】
無線フレームの構造は例示に過ぎず、無線フレームに含まれるサブフレームの数またはサブフレームに含まれるスロットの数は多様に変更されることができる。
【００５６】
図７は、一つのダウンリンクスロットに対するリソースグリッド（ｒｅｓｏｕｒｃｅ  ｇｒｉｄ）を示す例示図である。
【００５７】
図７を参照すると、ダウンリンクスロットは、時間領域（ｔｉｍｅ  ｄｏｍａｉｎ）で複数のＯＦＤＭシンボルを含み、周波数領域（ｆｒｅｑｕｅｎｃｙ  ｄｏｍａｉｎ）でＮＤＬリソースブロック（Ｒｅｓｏｕｒｃｅ  Ｂｌｏｃｋ；ＲＢ）を含む。ダウンリンクスロットに含まれるリソースブロックの数ＮＤＬは、セルで設定されるダウンリンク送信帯域幅（ｂａｎｄｗｉｄｔｈ）に従属する。例えば、ＬＴＥシステムにおいて、ＮＤＬは、６０〜１１０のうちいずれか一つである。一つのリソースブロックは，周波数領域で複数の副搬送波を含む。
【００５８】
リソースグリッド上の各要素（ｅｌｅｍｅｎｔ）はリソース要素（Ｒｅｓｏｕｒｃｅ  Ｅｌｅｍｅｎｔ）と呼ばれる。リソースグリッド上のリソース要素は、スロット内のインデックス対（ｐａｉｒ）（ｋ，）により識別されることができる。ここで、ｋ（ｋ＝０，．．．，ＮＤＬ×１２−１）は、周波数領域内の副搬送波インデックスであり、（＝０，．．．，６）は、時間領域内のＯＦＤＭシンボルインデックスである。
【００５９】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数及び副搬送波の数はこれに制限されない。ＯＦＤＭシンボルの数及び副搬送波の数は、サイクリックプレフィックス（Ｃｙｃｌｉｃ  Ｐｒｅｆｉｘ、以下、ＣＰという）の長さ、周波数間隔（ｆｒｅｑｕｅｎｃｙ  ｓｐａｃｉｎｇ）などによって多様に変更されることができる。例えば、ノーマル（ｎｏｒｍａｌ）ＣＰの場合、ＯＦＤＭシンボルの数は７であり、拡張された（ｅｘｔｅｎｄｅｄ）ＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００６０】
図８は、サブフレームの構造を示す。
【００６１】
図８を参照すると、サブフレームは、２個の連続的な（ｃｏｎｓｅｃｕｔｉｖｅ）スロットを含む。サブフレーム内の１番目のスロットの前方部の最大３ＯＦＤＭシンボルは、ＰＤＣＣＨが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。制御領域にはＰＤＣＣＨの以外にもＰＣＦＩＣＨ、ＰＨＩＣＨなどの制御チャネルが割り当てられることができる。端末は、ＰＤＣＣＨを介して送信される制御情報をデコーディングしてＰＤＳＣＨを介して送信されるデータ情報を読み取ることができる。ここで、制御領域が３ＯＦＤＭシンボルを含むことは例示にすぎない。サブフレーム内の制御領域が含むＯＦＤＭシンボルの数はＰＣＦＩＣＨを介して分かる。
【００６２】
図９は、基地局が一つのアンテナを使用する場合、参照信号（Ｒｅｆｅｒｅｎｃｅ  Ｓｉｇｎａｌ；ＲＳ）構造の例を示す。
【００６３】
図９を参照すると、Ｒ０は、０番アンテナを介して参照信号送信に使われるリソース要素を示す。一つのＯＦＤＭシンボルにおいて、Ｒ０は、６副搬送波間隔に位置する。リソースブロック内のＲ０の数は、一定である。
【００６４】
以下、参照信号送信に使われるリソース要素は参照シンボルと呼ばれる。参照シンボルを除いたリソース要素は、データ送信に使われることができる。データ送信に使われるリソース要素はデータシンボルと呼ばれる。アンテナ毎に一つの参照信号が送信される。各アンテナ別参照信号は、参照シンボルで構成される。
【００６５】
しかし、サービングセル及び隣接セルが使用する参照信号が同一な構造である場合、セル間参照信号衝突が発生することができる。これを防止するために、参照シンボルを、周波数領域で副搬送波単位にシフト（ｓｈｉｆｔ）したり、或いは時間領域でＯＦＤＭシンボル単位にシフトして参照信号を保護することができる。
【００６６】
図１０は、基地局が一つのアンテナを使用する場合、周波数領域でシフトされた参照信号の例を示す。
【００６７】
図１０を参照すると、第１のセルは、一つのＯＦＤＭシンボルから６副搬送波間隔に位置した参照シンボルを使用する。従って、周波数領域で副搬送波単位のシフトによって、少なくとも５個の隣接セル（第２のセルないし第６のセル）は、各々、異なるリソース要素に位置した参照シンボルを使用することができる。
【００６８】
従って、第１のセル〜第６のセル間参照信号衝突を避けることができる。例えば、周波数領域で参照シンボルをシフトさせる副搬送波の数を示す変数（ｖａｒｉａｂｌｅ）をｖｓｈｉｆｔとする場合、ｖｓｈｉｆｔは，次の数式のように示すことができる。
【００６９】
【数３】
0005496197.tif 000004
【００７０】
ここで、Ｎｃｅｌｌ＿ＩＤは，セルＩＤ（ｉｄｅｎｔｉｔｙ）を示す。
【００７１】
参照信号に予め定義された参照信号シーケンスをかけて送信することができる。例えば、参照信号シーケンスは，ＰＮ（Ｐｓｅｕｄｏ−ｒａｎｄｏｍ）シーケンス、ｍ−シーケンスなどを用いることができる。参照信号シーケンスは，二進（ｂｉｎａｒｙ）シーケンスまたは複素（ｃｏｍｐｌｅｘ）シーケンスを使用することができる。基地局が参照信号シーケンスをかけて送信する場合、端末は、隣接セルから受信される参照信号の干渉を減少させてチャネル推定性能を向上させることができる。参照信号シーケンスは、一つのサブフレーム内のＯＦＤＭシンボル単位に適用されることができる。参照信号シーケンスは、セルＩＤ、一つの無線フレーム内のスロット番号、スロット内のＯＦＤＭシンボルインデックス、ＣＰの種類などによって変わることができる。
【００７２】
図９を参照すると、参照シンボルを含むＯＦＤＭシンボルで各アンテナ別参照シンボルの個数は２個である。サブフレームは、周波数領域でＮＤＬリソースブロックを含むため、一つのＯＦＤＭシンボルで各アンテナ別参照シンボルの個数は２×ＮＤＬである。従って、参照信号シーケンスの長さは２×ＮＤＬである。
【００７３】
次の数式は、参照信号シーケンスｒ（ｍ）とする時、ｒ（ｍ）として使われる複数シーケンスの一例を示す。
【００７４】
【数４】
0005496197.tif 000005
【００７５】
ここで、ｍは、０、１，．．．，２Ｎｍａｘ，ＤＬ−１である。Ｎｍａｘ，ＤＬは、最大帯域幅に該当するリソースブロックの個数である。例えば、ＬＴＥシステムでＮｍａｘ，ＤＬは１１０である。ｃ（ｉ）は、ＰＮシーケンスであり、長さ−３１のゴールド（Ｇｏｌｄ）シーケンスにより定義でされることがきる。次の数式は、２×Ｎｍａｘ，ＤＬの長さシーケンスｃ（ｉ）の一例を示す。
【００７６】
【数５】
0005496197.tif 000006
【００７７】
ここで、ＮＣ＝１６００であり、ｘ１（ｉ）は、第１のｍ−シーケンスであり、ｘ２（ｉ）は、第２のｍ−シーケンスである。例えば、第１のｍ−シーケンスまたは第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。
【００７８】
Ｎｍａｘ，ＤＬより小さい帯域幅を有するシステムの場合、２×Ｎｍａｘ，ＤＬの長さで生成された参照信号シーケンスの一定部分のみを選択して使用することができる。
【００７９】
基地局が複数のアンテナを使用する多重アンテナ送信の場合、アンテナ毎に一つのリソースグリッドがある。以下、説明する図１１及び図１２では、便宜のために、同一なリソースグリッド上に全てのアンテナに対する参照シンボルを示す。Ｒｐは、ｐ番アンテナを介して参照信号送信に使われるリソース要素を示す（ｐ∈｛０，１，２，３｝）。Ｒｐは、ｐ番アンテナを除いた他のアンテナを介してはどんな送信にも使われない。これはアンテナ間干渉を与えないためである。
【００８０】
図１１は、基地局が２個のアンテナを使用する場合、サブフレームにマッピングされる参照信号の例を示す。
【００８１】
図１１を参照すると、Ｒ０及びＲ１は、互いに重複しない。一つのＯＦＤＭシンボルで各Ｒｐは６副搬送波間隔に位置する。サブフレーム内のＲ０の数とＲ１の数は同じである。また、同一個数のＲ０及びＲ１は同一ＯＦＤＭシンボルに含まれる。
【００８２】
図１２は、基地局が４個のアンテナを使用する場合、参照信号構造の例を示す。
【００８３】
図１２を参照すると、Ｒ０〜Ｒ３は互いに重複しない。一つのＯＦＤＭシンボルで各Ｒｐは６副搬送波間隔に位置する。サブフレーム内のＲ０の数及びＲ１の数は同じであり、Ｒ２の数及びＲ３の数は同じである。サブフレーム内のＲ２及びＲ３の数は、Ｒ０及びＲ１の数より少ない。
【００８４】
Ｒ０とＲ１とがペアリング（ｐａｉｒｉｎｇ）され、Ｒ２とＲ３とがペアリングされ、各々異なるＯＦＤＭシンボルに含まれる。従って、０番アンテナ及び１番アンテナの参照信号がペアリングされて同一ＯＦＤＭシンボルに送信される。例えば、サブフレーム内の１番目のスロットと２番目のスロットの両方ともＯＦＤＭシンボルインデックスが０、４（＝０，４）であるＯＦＤＭシンボルに、０番アンテナ及び１番アンテナの参照信号がペアリングされて送信される。また、２番アンテナ及び３番アンテナの参照信号がペアリングされて同一ＯＦＤＭシンボルに送信される。例えば、サブフレーム内の１番目のスロットと２番目のスロットの両方ともＯＦＤＭシンボルインデックスが１（＝１）であるＯＦＤＭシンボルに、２番アンテナ及び３番アンテナの参照信号がペアリングされて送信される。
【００８５】
図１３は、ＯＦＤＭシンボルインデックスが０（＝０）である場合、リソース要素当たり電力割当の例を示すグラフである。ｘ軸はアンテナインデックスであり、ｙ軸はリソースブロック内の副搬送波インデックスであり、ｚ軸は電力である。
【００８６】
図１３を参照すると、０番アンテナ及び１番アンテナの場合、各々２個の参照シンボルと４個のデータシンボルがある。２番アンテナ及び３番アンテナの場合、各々４個のデータシンボルがある。ＯＦＤＭシンボルインデックスが４である場合、アンテナインデックスを変更して同一グラフを適用することができる。
【００８７】
図１４は、ＯＦＤＭシンボルインデックスが１（＝１）である場合、リソース要素当たり電力割当の例を示すグラフである。ｘ軸はアンテナインデックスであり、ｙ軸はリソースブロック内の副搬送波インデックスであり、ｚ軸は電力である。
【００８８】
図１４を参照すると、０番アンテナ及び１番アンテナの場合、各々４個のデータシンボルがある。２番アンテナ及び３番アンテナの場合、各々２個の参照シンボルと４個のデータシンボルがある。
【００８９】
このように、ＯＦＤＭシンボルインデックスが０、４（＝０，４）である場合、０番アンテナ及び１番アンテナのペアリングされた参照信号が送信され、０番アンテナ及び１番アンテナに多くの電力が割り当てられる。ＯＦＤＭシンボルインデックスが１（＝１）である場合、２番アンテナ及び３番アンテナのペアリングされた参照信号が送信され、２番アンテナ及び３番アンテナに多くの電力が割り当てられる。
【００９０】
即ち、互いに異なるペアリングの参照信号は、常に各々異なるＯＦＤＭシンボルで送信される。従って、参照シンボルの電力ブースティング（ｐｏｗｅｒ  ｂｏｏｓｔｉｎｇ）が適用される時、一つのＯＦＤＭシンボルでは特定ペアリングに対するアンテナの電力のみ高めるようになる。また、各アンテナ別均等電力送信が難しくなる。均等電力送信は、多重アンテナシステムで各アンテナ別送信電力をできるだけ同一にすることを意味する。多重アンテナの均等電力送信は、具現費用を減少させ、システム性能を向上させることができる。多重アンテナの均等電力送信を可能にするためには、一つのＯＦＤＭシンボルで全てのアンテナの各々の参照シンボルの個数が同じであるのが好ましい。
【００９１】
一つのサブフレーム内でＲ０とＲ１ペアリングは、Ｒ２とＲ３ペアリングより時間領域で２倍多い。２番及び３番アンテナは、０番及び１番アンテナに比べて時間選択的チャネル（ｔｉｍｅ  ｓｅｌｅｃｔｉｖｅ  ｃｈａｎｎｅｌ）で低いチャネル推定性能を示す。時間選択的チャネルか否かは、コヒーレントタイム（ｃｏｈｅｒｅｎｔ  ｔｉｍｅ）を用いて分かる。コヒーレントタイムは、ドップラー拡散（Ｄｏｐｐｌｅｒ  ｓｐｒｅａｄ）に反比例する。しかし、各アンテナ別均等電力を送信するように設計された多重アンテナ技法を使用する場合、各アンテナ別均等でないチャネル推定性能は、深刻なシステムの性能を低下させる問題がある。従って、多重アンテナシステムで各アンテナ別均等電力送信のための参照信号の送信方法を提供する必要がある。
【００９２】
多重アンテナシステムの場合、各アンテナ別参照信号が区分可能である時のみ、データを復元することができる。各アンテナ別参照信号間干渉を防止するために、ＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  Ｄｉｖｉｓｉｏｎ  Ｍｕｌｔｉｐｌｅｘｉｎｇ）またはＣＤＭ（Ｃｏｄｅ  Ｄｉｖｉｓｉｏｎ  Ｍｕｌｔｉｐｌｅｘｉｎｇ）などが使われることができる。ＦＤＭは、各アンテナ別参照信号が周波数領域で分離されて送信されるものである。ＴＤＭは、各アンテナ別参照信号が時間領域で分離されて送信されるものである。ＣＤＭは、各アンテナ別参照信号に他のシーケンスが使われて送信されるものである。ＦＤＭ、ＴＤＭを使用して多重アンテナを介して参照信号を送信する場合、各アンテナ別参照シンボルは重複しない。ＣＤＭを使用する場合、各アンテナ別参照信号送信に使われるリソース要素が重複することができる。従って、ＣＤＭを使用する場合、参照信号オーバーヘッドを大きく増加させることなく多重アンテナを介して参照信号を送信することができる。
【００９３】
以下、ＣＤＭを使用して多重アンテナシステムにおける各アンテナ別均等電力送信のための参照信号の送信方法を説明する。
【００９４】
図１５は、多重アンテナシステムにおける参照信号の送信方法を示す流れ図である。
【００９５】
図１５を参照すると、基地局は、端末に同一無線リソースを使用し、第１のアンテナグループを介して第１の参照信号（ＲＳ１）、第２のアンテナグループを介して第２の参照信号（ＲＳ２）を送信する（Ｓ１１０）。第１の参照信号は、第１のシーケンスを使用し、第２の参照信号は、第２のシーケンスを使用する。端末は、第１の参照信号及び第２の参照信号を用いてチャネルを推定する（Ｓ１２０）。
【００９６】
このように、ＣＤＭを使用すると、一つのアンテナに対する参照シンボルが使われるリソース要素に他のアンテナの参照シンボルが多重化（ｍｕｌｔｉｐｌｅｘｉｎｇ）されることができる。一つのアンテナに対する第１の参照信号には第１のシーケンスが使われ、他のアンテナに対する第２の参照信号には前記第１のシーケンスに直交（ｏｒｔｈｏｇｏｎａｌ）する第２のシーケンスが使われることができる。第１のシーケンスと第２のシーケンスとが直交する場合、端末は、第１のシーケンスと第２のシーケンスを干渉無しに復旧することができる。また、第２のシーケンスは、第１のシーケンスと相関度（ｃｏｒｒｅｌａｔｉｏｎ）の低いシーケンスを使用することもできる。
【００９７】
例えば、４個のアンテナを使用する場合、第１のシーケンスを使用する０番アンテナ及び１番アンテナの参照信号がペアリングされたＯＦＤＭシンボルで２番アンテナ及び３番アンテナの参照信号ペアリングに第２のシーケンスを使用してＣＤＭを適用する。これによって、参照シンボルを含む各ＯＦＤＭシンボルは、全てのアンテナの参照信号を同時に送信することができる。一つのＯＦＤＭシンボルで全てのアンテナの各々の参照シンボルの個数が同一であるため均等電力送信が可能になる。
【００９８】
第１のシーケンスと第２のシーケンスとが互いに直交すると、どのシーケンスも第１のシーケンスと第２のシーケンスとして使用可能である。一般的に、参照信号シーケンスはランダムシーケンスである。以下、第１のシーケンスはＰＮ（Ｐｓｅｕｄｏ−ｒａｎｄｏｍ）シーケンスという。例えば、第２のシーケンスは、ＰＮシーケンスが時間領域で循環シフト（ｃｙｃｌｉｃ  ｓｈｉｆｔ）または遅延（ｄｅｌａｙ）されたものである。時間領域で循環シフト（ｔｉｍｅ−ｄｏｍａｉｎ  ｃｉｒｃｕｌａｒ  ｓｈｉｆｔ）を適用すると、第２のシーケンスは、周波数領域でＰＮシーケンスに位相シフト（ｐｈａｓｅ  ｓｈｉｆｔ）シーケンスをかけた形態で構成される。以下、位相シフトシーケンスはＯＳ（ｏｒｔｈｏｇｏｎａｌ  ｓｅｑｕｅｎｃｅ）という。
【００９９】
第１のシーケンスは、数式４の参照信号シーケンスであることがある。参照信号シーケンスｒ（ｍ）で循環シフトによって得られる第２のシーケンスをｒｉ（ｍ）といい、次の数式のように示すことができる。
【０１００】
【数６】
0005496197.tif 000007
【０１０１】
ここで、ｉ＝１，２，．．．，Ｎである。ｉによってＮ個の第２のシーケンスを生成することができる。Ｎは、チャネル状況によって変わることができる。θｉは、循環シフト値であり、θｉの例は、次の数式のように示すことができる。
【０１０２】
【数７】
0005496197.tif 000008
【０１０３】
θｉが０である場合、第２のシーケンスは、第１のシーケンスと同一である。即ち、参照信号に使われる参照信号シーケンスは、ＰＮシーケンスにＯＳをかけた２階層シーケンス（ｔｗｏ−ｌａｙｅｒｅｄ  ｓｅｑｕｅｎｃｅ）である。以下、‘ＰＮ＋ＯＳ’は、ＰＮシーケンスにＯＳをかけた参照信号シーケンスを意味する。例えば、‘ＰＮ０＋ＯＳ０’と‘ＰＮ０＋ＯＳ１’は、同一ＰＮシーケンスに他の循環シフトを適用したものであり、互いに直交する。即ち、互いに直交する参照信号シーケンスは、同一ＰＮシーケンスに互いに異なるＯＳをかけて生成することができる。ＰＮシーケンスは、ＯＦＤＭシンボル位置によって変わることができる。参照信号シーケンスは、変更されたＰＮシーケンスの循環シフトによって得られる。
【０１０４】
循環シフト値θｉは、各アンテナに対するチャネルのインパルス応答を区別するために十分な間隔を有する。無線通信システムは、実効（ｅｆｆｅｃｔｉｖｅ）ＯＦＤＭシンボルの長さが６６．７であり、５の最大遅延スプレッド（ｄｅｌａｙ  ｓｐｒｅａｄ）のチャネル環境で動作すると仮定する。この場合、最小５単位に循環シフト値を有する。従って、１２個の循環シフトを区別することができる。しかし、一つのＯＦＤＭシンボルで参照シンボルが６副搬送波間隔に位置する場合、可用循環シフト個数が６倍減少する。即ち、１２／６＝２個の循環シフト値を有することができる。
【０１０５】
説明の便宜のために、用語を定義する。以下、Ｐｘは、参照信号がマッピングされるリソース要素を示す。一つのアンテナの参照信号がＰ１に使われると、全てのＰ１に該当アンテナに対する参照信号がマッピングされる。Ｒｐは、ｐ番アンテナの参照信号送信に使われる参照シンボルである。ＲｐにはＰＮシーケンスにＯＳをかけた（ＰＮ＋ＯＳ）参照信号シーケンスが対応される。
【０１０６】
図１６は、参照信号構造の一例を示す。
【０１０７】
図１６を参照すると、Ｐ１とＰ２は、一つのＯＦＤＭシンボルにペアリングされており、Ｐ３とＰ４は、他のＯＦＤＭシンボルにペアリングされている。Ｐｘ（ｘ＝０，１，２，３）、Ｒｐ（ｐ＝０，１，２，３）、及びＲｐに対応する参照信号シーケンスは多様な形態で構成されることができる。
【０１０８】
次の表は、リソース要素の位置（Ｐｘ）、各アンテナ別参照シンボル（Ｒｐ）、及び参照信号シーケンスの第１の例を示す。
【０１０９】
【表１】
0005496197.tif 000009
【０１１０】
Ｐ１では０番アンテナの参照信号のみ、Ｐ２では１番アンテナの参照信号のみ、Ｐ３では２番アンテナの参照信号のみ、及びＰ４では３番アンテナの参照信号のみ送信される。これはＣＤＭが使われないものであり、図１２の４個のアンテナを使用する場合の参照信号構造と同一形態を有する。
【０１１１】
次の表は、リソース要素の位置（Ｐｘ）、各アンテナ別参照シンボル（Ｒｐ）、及び参照信号シーケンスの第２の例を示す。
【０１１２】
【表２】
0005496197.tif 000010
【０１１３】
各アンテナ別に互いに異なる参照信号シーケンスが使われることができる。Ｐ１及びＰ２（またはＰ３及びＰ４）がペアリングされたＯＦＤＭシンボルでＰ１とＰ２（またはＰ３とＰ４）には互いに異なるＰＮシーケンスが使われることができる。Ｐ１、Ｐ３でＲ０とＲ２は互いに直交する参照信号シーケンスを使用して多重化される。Ｒ０とＲ２は、同一ＰＮシーケンスを使用し、互いに異なるＯＳを使用する。Ｐ２、Ｐ４でＲ１とＲ３は互いに直交する参照信号シーケンスを使用して多重化される。Ｒ１とＲ３は、同一ＰＮシーケンスを使用し、互いに異なるＯＳを使用する。従って、Ｐ１及びＰ２（またはＰ３及びＰ４）がペアリングされたＯＦＤＭシンボルで全てのアンテナの各々の参照シンボルが同一個数を有する。これはＦＤＭとＣＤＭを用いたものである。この場合、アンテナ別均等電力送信が可能である。
【０１１４】
表２の方式は、アンテナ別均等電力送信を満たす限り多様に変更されることができる。即ち、均等電力送信のために、ＦＤＭとＣＤＭを用いて、アンテナの番号に関係なしにＰ１及びＰ２（またはＰ３及びＰ４）がペアリングされたＯＦＤＭシンボルで全てのアンテナの各々の参照シンボルが同一個数を有する。
【０１１５】
次の表は、リソース要素の位置（Ｐｘ）、各アンテナ別参照シンボル（Ｒｐ）、及び参照信号シーケンスの第３の例を示す。
【０１１６】
【表３】
0005496197.tif 000011
【０１１７】
Ｐ１及びＰ２（またはＰ３及びＰ４）がペアリングされたＯＦＤＭシンボルでＰ１とＰ２（またはＰ３とＰ４）には同一ＰＮシーケンスが使われることができる。Ｐ１、Ｐ３でＲ１とＲ３は互いに直交する参照信号シーケンスを使用して多重化される。Ｒ１とＲ３は同一ＰＮシーケンスを使用し、互いに異なるＯＳを使用する。Ｐ２、Ｐ４でＲ０とＲ２は互いに直交する参照信号シーケンスを使用して多重化される。Ｒ０とＲ２は、同一ＰＮシーケンスを使用し、互いに異なるＯＳを使用する。従って、Ｐ１及びＰ２（またはＰ３及びＰ４）がペアリングされたＯＦＤＭシンボルで全てのアンテナの各々の参照シンボルが同一個数を有する。
【０１１８】
例えば、Ｐ１でＲ３に使用するＯＳ１は、循環シフトに対応するπ／２の位相を有することができる。この時、各ＯＦＤＭシンボル別に開始位相オフセット（ｐｈａｓｅ  ｏｆｆｓｅｔ）を異にして循環シフトを定めることができる。
【０１１９】
図１７は、循環シフトされた参照信号構造の例を示す。
【０１２０】
図１７を参照すると、一つのＯＦＤＭシンボル内の循環シフト値θｉはπ／２である。ＯＦＤＭシンボルインデックスが０（＝０）である場合、Ｐ１の開始位相オフセットは０である。ＯＦＤＭシンボルインデックスが４（＝４）である場合、Ｐ１の開始位相オフセットはπ／４である。
【０１２１】
次の表は、リソース要素の位置（Ｐｘ）、各アンテナ別参照シンボル（Ｒｐ）、及び参照信号シーケンスの第４の例を示す。
【０１２２】
【表４】
0005496197.tif 000012
【０１２３】
Ｐ１及びＰ２（またはＰ３及びＰ４）がペアリングされたＯＦＤＭシンボルでＰ１とＰ２（またはＰ３とＰ４）には互いに異なるＰＮシーケンスが使われることができる。Ｐ１、Ｐ３でＲ０とＲ２は互いに直交する参照信号シーケンスを使用して多重化される。Ｐ２、Ｐ４でＲ１とＲ３は互いに直交する参照信号シーケンスを使用して多重化される。従って、Ｐ１及びＰ２（またはＰ３及びＰ４）がペアリングされたＯＦＤＭシンボルで全てのアンテナの各々の参照シンボルが同一個数を有する。同一アンテナを介して送信される参照信号であるとしても、ＯＦＤＭシンボルの位置が異なるためＰｘのｘが異なる場合、異なるＰＮシーケンスが使われることができる。この場合、多重セル環境でセルベースのシーケンスをランダム化する効果を得ることができる。
【０１２４】
ＣＤＭを使用して多重アンテナの参照信号を多重化する場合、多重化以前の電力を均等に分割して使用することができる。しかし、ＣＤＭを使用しない参照信号構造を使用する端末の場合には、参照信号の電力が半で減るため、チャネル推定性能が大きく低下されることがある。従って、ＣＤＭを使用して多重化される各アンテナ別参照信号の電力を制御する必要がある。即ち、同一リソース要素に多重化されるＰＮシーケンスである第１のシーケンスと、第１のシーケンスが時間領域で循環シフトされた第２のシーケンスは、互いに異なる比率の電力を有することができる。例えば、特定アンテナのチャネル推定性能を強く（ｒｏｂｕｓｔ）するようにするために、特定アンテナの電力を制御することができる。また、第１のシーケンスに循環シフトされた第２のシーケンスを使用するアンテナの参照信号電力を相対的に小さく設定することができる。
【０１２５】
Ｐ１で受信される信号は、次の数式のように示すことができる。
【０１２６】
【数８】
0005496197.tif 000013
【０１２７】
ここで、ｍは０，１，．．．，２Ｎｍａｘ，ＤＬ−１である。ｈ１、ｈ２はチャネル情報であり、αは電力制御ファクター（ｐｏｗｅｒ  ｃｏｎｔｒｏｌ  ｆａｃｔｏｒ）である。総送信電力を１とすると、αは０≦α≦１である。例えば、α＝１とすると、表１のようにＰｘ毎に一つのアンテナがマッピングされたことを意味する。α＝０．５とする場合、ＣＤＭを使用して多重化される第１のシーケンスと第２のシーケンスの電力が同一である。αを調整することによって各アンテナ別参照信号シーケンス電力を調整することができる。
【０１２８】
これまで、４個のアンテナを使用する場合の参照信号構造を例として説明したが、ＣＤＭを使用する参照信号の送信方法は、４個以上のアンテナの場合にも適用可能である。
【０１２９】
以下、８個のアンテナを使用する場合、ＣＤＭを使用する参照信号の送信方法を説明する。以下、説明の便宜のために、第１のシーケンスをＰＮ１（Ｐｓｅｕｄｏ−ｒａｎｄｏｍ  ｓｅｑｕｅｎｃｅ  １）、第２のシーケンスをＰＮ２（Ｐｓｅｕｄｏ−ｒａｎｄｏｍ  ｓｅｑｕｅｎｃｅ  ２）という。前述のように、ＰＮ２は、ＰＮ１が時間領域で循環シフトされて得られることができる。時間領域で循環シフトを適用すると、ＰＮ２は、周波数領域でＰＮ１に位相シフトシーケンスをかけた形態で構成される。Ｒｐは、ｐ番アンテナの参照シンボルを示す。ｐは、０，１，２，…，７のうち一つである。
【０１３０】
以下、説明される図１８〜図２１では、Ｐ１にはＲ０とＲ４が多重化され、Ｐ２にはＲ１とＲ５が多重化され、Ｐ３にはＲ２とＲ６が多重化され、及びＰ４にはＲ３とＲ７が多重化される。Ｒ０、Ｒ１、Ｒ２、及びＲ３には、各々、参照信号シーケンスとしてＰＮ１が使われ、Ｒ４、Ｒ５、Ｒ６、及びＲ７には、各々、参照信号シーケンスとしてＰＮ２が使われる。これを次の表のように示すことができる。
【０１３１】
【表５】
0005496197.tif 000014
【０１３２】
このように、互いに直交特性を満たすＰＮ１とＰＮ２を用いて８個のアンテナの各々の参照信号を送信することができる。
【０１３３】
図１８は、ＣＤＭを使用した参照信号構造の第１の例を示す。
【０１３４】
図１８を参照すると、４個のアンテナを使用する参照信号構造（図１２ご参照）は、８個のアンテナを使用する参照信号構造に拡張されたものである。４〜７番アンテナの各々のチャネル推定性能は、順に１〜４番アンテナの各々のチャネル推定性能と同じである。参照シンボルオーバーヘッドは、４個のアンテナを使用する参照信号構造（図１２ご参照）と同一な１４％である。参照シンボルを含むＯＦＤＭシンボルでデータシンボルの個数が適切に維持される。従って、参照シンボルの電力ブースティングが容易である。特に、制御領域内のデータシンボル構造が変更されない。従って、ＬＴＥシステムと互換可能である。
【０１３５】
しかし、０、１、４、及び５番アンテナで使用される参照シンボルの数は、２、３、６、及び７番アンテナで使用される参照シンボルの数の２倍である。従って、２、３、６、及び７番アンテナは、０、１、４、５番アンテナに比べてチャネル推定性能が劣る。特に、２、３、６、及び７番アンテナは、時間選択的チャネルでチャネル推定性能が劣ることがある。
【０１３６】
図１９は、ＣＤＭを使用した参照信号構造の第２の例を示す。
【０１３７】
図１９を参照すると、０〜７番アンテナの各々の参照シンボルの個数は同じである。従って、０〜７番アンテナの各々のチャネル推定性能は同一である。参照シンボルオーバーヘッドは１９％である。また、一つのＯＦＤＭシンボルに全てのアンテナの参照シンボルが送信され、０〜７番アンテナの各々の参照シンボルの個数は同じである。従って、０〜７番アンテナ間均等電力送信が可能である。
【０１３８】
しかし、参照シンボルを含むＯＦＤＭシンボルでデータシンボルの個数は少ない。従って、参照シンボルの電力ブースティングが制限され、特に、制御領域内の参照シンボルの電力ブースティングが制限されて制御チャネルの信頼度を減少させる。
【０１３９】
図２０は、ＣＤＭを使用した参照信号構造の第３の例を示す。
【０１４０】
図２０を参照すると、制御領域として使われる領域ではＣＤＭを使用せず、４個のアンテナに対する参照シンボルのみ送信される。制御領域を除いた残りの領域ではＣＤＭを使用して８個アンテナに対する参照シンボルが送信されることができる。制御領域及び制御領域内の参照信号構造がＬＴＥシステムと同一に維持され、ＬＴＥシステムと互換性が維持される。
【０１４１】
図２１は、ＣＤＭを使用した参照信号構造の第４の例を示す。これは図１９の参照信号構造の特性を維持しながら、参照シンボルオーバーヘッドを１４％に減少させた参照信号構造である。
【０１４２】
図２１を参照すると、０〜７番アンテナの各々の参照シンボルの個数は同じである。従って、０〜７番アンテナの各々のチャネル推定性能は同一である。参照シンボルオーバーヘッドは１４％である。また、一つのＯＦＤＭシンボルに全てのアンテナの参照シンボルが送信され、０〜７番アンテナの各々の参照シンボルの個数が同一である。従って、０〜７番アンテナ間均等電力送信が可能である。また、参照シンボルを含むＯＦＤＭシンボルでデータシンボルの個数が適切に維持される。従って、参照シンボルの電力ブースティングが容易である。
【０１４３】
図２２は、ＣＤＭを使用した参照信号構造の第５の例を示す。
【０１４４】
図２２を参照すると、Ｐ１にはＲ０とＲ４が多重化され、Ｐ２にはＲ１とＲ５が多重化され、Ｐ３にはＲ２とＲ６が多重化され、Ｐ４にはＲ３とＲ７が多重化される。この時、Ｒ０、Ｒ１、Ｒ２、Ｒ３には、各々、参照信号シーケンスとしてＰＮ１が使われ、Ｒ４、Ｒ５、Ｒ６、Ｒ７には、各々、参照信号シーケンスとしてＰＮ２が使われる。Ｐ５には、ＰＮ１が使われたＲ０と、ＰＮ２が使われたＲ２とが多重化される。Ｐ６には、ＰＮ１が使われたＲ１と、ＰＮ２が使われたＲ３とが多重化される。Ｐ７には、ＰＮ１が使われたＲ２と、ＰＮ２が使われたＲ０とが多重化される。Ｐ８には、ＰＮ１が使われたＲ３と、ＰＮ２が使われたＲ１とが多重化される。これを次の表のように示すことができる。
【０１４５】
【表６】
0005496197.tif 000015
【０１４６】
前記表のように、同一アンテナのための全ての参照シンボルに同一シーケンスを使用することではなく、ＯＦＤＭシンボルの位置によって異なるシーケンスを使用することができる。
【０１４７】
図２３は、多重アンテナを使用する送信機の例を示すブロック図である。送信機は、基地局であってもよく、端末であってもよい。
【０１４８】
図２３を参照すると、送信機１００は、参照信号生成器１１０、データプロセッサ１２０、及びＭＩＭＯプロセッサ１３０を含む。
【０１４９】
参照信号生成器１１０は、前述のように、参照信号を生成する。データプロセッサ１２０は、データを処理してデータシンボルを形成する。例えば、データ処理にはチャネルコーディング、変調（ｍｏｄｕｌｔｉｏｎ）などがある。ＭＩＭＯプロセッサ１３０は、データシンボルと参照信号を送信アンテナ１９０−１，…，１９０−ＮｔによるＭＩＭＯ方式に処理する。各送信アンテナ１９０−１，…，１９０−Ｎｔ別にリソース要素にデータシンボルと参照信号をマッピングし、ＯＦＤＭ信号を生成する。生成されたＯＦＤＭ信号は、各送信アンテナ１９０−１，…，１９０−Ｎｔ別に送信する。
【０１５０】
図２４は、端末の要素を示すブロック図である。端末５０は、プロセッサ（ｐｒｏｃｅｓｓｏｒ）５１、メモリ（ｍｅｍｏｒｙ）５２、ＲＦ部（ＲＦ（Ｒａｄｉｏ  Ｆｒｅｑｕｅｎｃｙ）ｕｎｉｔ）５３、ディスプレイ部（ｄｉｓｐｌａｙ  ｕｎｉｔ）５４、及びユーザインターフェース部（ｕｓｅｒ  ｉｎｔｅｒｆａｃｅ  ｕｎｉｔ）５５を含む。プロセッサ５１は、無線インターフェースプロトコルの階層が具現され、制御平面とユーザ平面を提供する。各階層の機能は、プロセッサ５１によって具現されることができる。メモリ５２はプロセッサ５１と連結され、端末駆動システム、アプリケーション、及び一般的なファイルを格納する。ディスプレイ部５４は、端末の多様な情報をディスプレイし、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）等、よく知られた要素を使用することができる。ユーザインターフェース部５５は、キーパッドやタッチスクリーンなど、よく知られたユーザインターフェースの組合せからなることができる。ＲＦ部５３は、プロセッサと連結され、無線信号（ｒａｄｉｏ  ｓｉｇｎａｌ）を送信及び／または受信する。
【０１５１】
プロセッサ５１は、ＡＳＩＣ（Ａｐｐｌｉｃａｔｉｏｎ−Ｓｐｅｃｉｆｉｃ  ＩＣ）や他のチップセット、論理回路及び／またはデータ処理装置を含むことができる。また、前記メモリ５２は、ＲＯＭ、ＲＡＭ、フラッシュメモリ、メモリカード、ストレージミディアム及び／または他の格納装置を含むことができる。前記ＲＦ部５３は、ＲＦ信号処理のためのベースバンド回路である。前記実施例がソフトウェアで具現される場合、ここに記述された技術的特徴は、該当機能を実行するモジュール（プロシージャ、機能など）で具現されることができる。前記モジュールは、メモリ５２に格納され、プロセッサ５１により動作することができる。前記メモリ５２は、プロセッサ５１内に具現されたり、或いはプロセッサ５１の外部で前記プロセッサと従来の手段により通信的に連結されて動作することができる。
【０１５２】
前述のような参照信号構造は、ダウンリンクを基準としたものであるが、アップリンクにも適用されることができる。
【０１５３】
このように、ＣＤＭを使用した参照信号構造を用いる場合、互いに異なるアンテナが同一リソース要素を使用して各々の参照信号を送信することができる。即ち、参照信号オーバーヘッドを増加させることなく、各アンテナ別参照シンボルの個数を増加させることができる。従って、各アンテナ別均等電力送信が可能であるように参照信号構造を設計することができる。これによって、具現費用を減少させ、システム性能を向上させることができる。
【０１５４】
前述した全ての機能は、前記機能を実行するようにコーディングされたソフトウェアやプログラムコードなどによるマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより実行されることができる。前記コードの設計、開発、及び具現は、本発明の説明に基づいて当業者に自明であるといえる。
【０１５５】
以上、本発明に対して実施例を参照して説明したが、該当技術分野の通常の知識を有する者は、本発明の技術的思想及び領域から外れない範囲内で本発明を多様に修正及び変更させて実施できることを理解することができる。従って、前述した実施例に限定されず、本発明は、特許請求の範囲内の全ての実施例を含む。
【図１】
0005496197.tif 000016
【図２】
0005496197.tif 000017
【図３】
0005496197.tif 000018
【図４】
0005496197.tif 000019
【図５】
0005496197.tif 000020
【図６】
0005496197.tif 000021
【図７】
0005496197.tif 000022
【図８】
0005496197.tif 000023
【図９】
0005496197.tif 000024
【図１０】
0005496197.tif 000025
【図１１】
0005496197.tif 000026
【図１２】
0005496197.tif 000027
【図１３】
0005496197.tif 000028
【図１４】
0005496197.tif 000029
【図１５】
0005496197.tif 000030
【図１６】
0005496197.tif 000031
【図１７】
0005496197.tif 000032
【図１８】
0005496197.tif 000033
【図１９】
0005496197.tif 000034
【図２０】
0005496197.tif 000035
【図２１】
0005496197.tif 000036
【図２２】
0005496197.tif 000037
【図２３】
0005496197.tif 000038
【図２４】
0005496197.tif 000039